【事件の表示】
　特許第４３１３５３１号に関する訂正審判事件について、次のとおり審決する。
【結　論】
　特許第４３１３５３１号の特許請求の範囲を本件審判請求書に添付された訂正特許請求の範囲のとおり、訂正後の請求項〔１−１３〕、〔１５−１８〕について訂正することを認める。
【理　由】
第１　手続の経緯  
　本件特許第４３１３５３１号に係る出願は、平成１２年９月１３日（パリ条約による優先権主張外国庁受理　１９９９年９月１４日、オーストリア）を国際出願日とする出願であり、平成２１年５月２２日に設定登録され、平成２９年４月２８日に本件訂正審判の請求がなされたものである。 
 　 
　 
第２　請求の要旨  
　本件訂正審判は、本件特許の特許請求の範囲を、審判請求書に添付した訂正特許請求の範囲のとおり、訂正後の請求項１〜１３、請求項１５〜１８について訂正することを求めるものであって、その訂正の内容は、下記１．および２．のとおりである。  
 　  
１．訂正事項１ 
 　請求項１における「抗体または抗体誘導体」を「抗体または抗体誘導体（ただし、抗体クローンＡＨＩＸ - ５０４１：Ｈａｅｍａｔｏｌｏｇｉｃ　Ｔｅｃｈｎｏｌｏｇｉｅｓ社製、および抗体クローンＨＩＸ - １：ＳＩＧＭＡ - ＡＬＤＲＩＣＨ社製を除く）」と訂正する。 
  
２．訂正事項２  
 　請求項１５における「請求項１に記載の抗体または抗体誘導体および薬学的に受容可能なキャリアを含有する、薬学的調製物」を「第ＩＸ因子または第ＩＸａ因子に対する抗体または抗体誘導体であって、凝血促進活性を増大させる、抗体または抗体誘導体および薬学的に受容可能なキャリアを含有する、薬学的調製物」と訂正する。 
 　  
　
第３　当審の判断 
１．一群の請求項について
　訂正事項１に係る訂正前の請求項１〜１３について、請求項２〜１３は請求項１を直接的または間接的に引用するものであるから、訂正事項１によって記載が訂正される請求項１に連動して訂正されるものである。
　したがって、訂正前の請求項１〜１３に対応する訂正後の請求項１〜１３は、特許法１２６条第３項に規定する一群の請求項である。
　また、訂正事項２に係る訂正前の請求項１５〜１８について、請求項１６〜１８は請求項１５を直接的または間接的に引用するものであるから、訂正事項２によって記載が訂正される請求項１５に連動して訂正されるものである。そして、審判請求書において「この訂正が認められる場合には、請求項１５〜１８は、請求項１とは別途訂正することを求める」と、別の訂正単位とする求めを行っている。
　したがって、訂正前の請求項１５〜１８に対応する訂正後の請求項１５〜１８は、訂正事項２が認められる前提で特許法１２６条第３項に規定する一群の請求項である。
２．訂正事項１について
（１）訂正の目的の適否について 
　訂正事項１は、請求項１から「抗体クローンＡＨＩＸ - ５０４１：Ｈａｅｍａｔｏｌｏｇｉｃ　Ｔｅｃｈｎｏｌｏｇｉｅｓ社製、および抗体クローンＨＩＸ - １：ＳＩＧＭＡ - ＡＬＤＲＩＣＨ社製」を除くものであるから、特許法第１２６条第１項ただし書第１号に規定する特許請求の範囲の減縮を目的とするものである。
　
（２）新規事項の追加の有無について  
　審判請求書の添付書類（イ）（抗体クローンＡＨＩＸ - ５０４１：Ｈａｅｍａｔｏｌｏｇｉｃ　Ｔｅｃｈｎｏｌｏｇｉｅｓ社製の製品説明書および全訳文）、および添付書類（ウ）（抗体クローンＨＩＸ - １：ＳＩＧＭＡ - ＡＬＤＲＩＣＨ社製の製品説明書および全訳文）の記載から、訂正事項１において「除く」とされる２つの抗体（抗体クローンＡＨＩＸ - ５０４１：Ｈａｅｍａｔｏｌｏｇｉｃ　Ｔｅｃｈｎｏｌｏｇｉｅｓ社製、および抗体クローンＨＩＸ - １：ＳＩＧＭＡ - ＡＬＤＲＩＣＨ社製）は、いずれも抗第ＩＸ因子抗体であると認められる。
　そして、審判請求人より、平成２９年７月１０日付け上申書に添付して甲１〜５号証が提出されたところ、審判請求人を原告とする、本件特許権に基づく特許権侵害差止等請求事件（平成２８年（ワ）第１１４７５号）において、被告である中外製薬株式会社が提出した証拠（甲１の１、甲１の２、甲２の１、甲２の２）の記載から、訂正事項１において「除く」とされる上記２つの抗体は、少なくとも公然知られていたものまたは公然実施をされたものであると一応認められる。そして、同事件において、同被告が作成して提出した「試験報告書（平成２９年０２月１０日作成）」（甲４）には、この２つの抗体が「第ＶＩＩＩ因子補因子活性を示す」こと、すなわち、本件の請求項１に記載される「凝血促進活性を増大させる」ことを示す実験結果が記載されていると認められる。
　そうすると、この２つの抗体は、訂正前の請求項１に特定される要件を満足する、公然知られた発明または公然実施された発明に該当するものと一応認めることができる。
　したがって、訂正事項１は、請求項に係る発明が、先行技術と重なるために新規性等を失う恐れがある場合に、訂正前の請求項に記載した事項の記載表現を残したままで、当該重なりのみを除く訂正に該当すると認められるから、訂正事項１は、特許明細書等のすべての記載を総合することにより導かれる技術的事項との関係において、新たな技術的事項を導入しないものである。
　よって、訂正事項１は、願書に添付した明細書、特許請求の範囲又は図面に記載した事項の範囲内の訂正であり、特許法第１２６条第５項に規定する要件に適合するものである。
　
（３）特許請求の範囲の拡張又は変更の存否について  
　上記（１）に記載したとおり、訂正事項１は、請求項１を減縮するものであり、上記（２）に記載したとおり、新規事項を追加するものではないから、実質上特許請求の範囲を拡張し、又は変更するものには該当せず、特許法第１２６条第６項に適合するものである。
（４）独立特許要件について
　上記（２）に記載したとおり、訂正事項１により、訂正前の請求項１に特定される要件を満足する２つの抗体（抗体クローンＡＨＩＸ - ５０４１：Ｈａｅｍａｔｏｌｏｇｉｃ　Ｔｅｃｈｎｏｌｏｇｉｅｓ社製、および抗体クローンＨＩＸ - １：ＳＩＧＭＡ - ＡＬＤＲＩＣＨ社製）が、たとえ公然知られた発明又は公然実施をされた発明に該当するものであるとしても、これら２つの抗体が除かれることとなる訂正後の請求項１は新規性を有するものである。
　また、本件審判請求書の添付書類（イ）の「用途」の項には、「ウエスタンブロット−可、ＥＬＩＳＡ−可、放射免疫測定（ＲＩＲ）−可、精製のための使用−可」と記載されており、添付書類（ウ）の「用法注意及び免責の項」には、「本製品は研究開発の用途のみに使用されるものであり、治療薬、家庭用、その他用途での使用は不可。」と記載されているから、抗体クローンＡＨＩＸ - ５０４１（Ｈａｅｍａｔｏｌｏｇｉｃ　Ｔｅｃｈｎｏｌｏｇｉｅｓ社製）、抗体クローンＨＩＸ - １（ＳＩＧＭＡ - ＡＬＤＲＩＣＨ社製）は、いずれも試験・研究用の試薬として公然知られていた又は公然実施をされていたと認められるとしても、これら２つの抗体が「凝血促進活性を増大させる」ことまでが知られていたと認めるにたる証拠は示されていない。
　さらに、本件の優先日当時に、「第ＩＸ因子または第ＩＸａ因子に対する抗体または抗体誘導体」が「凝血促進活性を増大させる」ことが知られていたことを示す証拠もない。
　したがって、これら２つの抗体に基づいて「凝血促進活性を増大させる」抗体を作成することは、当業者にとって容易想到ではなく、訂正後の請求項１に係る発明は進歩性を有するものである。
　また、訂正後の請求項１に係る発明に、他に特許を受けることができない理由があるとは認められない。
　よって、訂正後の請求項１に係る発明は、特許出願の際に独立して特許を受けることができるものであり、特許法第１２６条第７項に適合するものである。
　
３．訂正事項２について 
（１）訂正の目的の適否について  
　上記訂正事項２は、訂正前の請求項１５が請求項１を引用する引用形式で記載されていたものから、引用する請求項１の記載事項をそのまま記載することで、請求項１５を独立形式の記載とする訂正であり、特許法第１２６条第１項ただし書第４号に掲げる、請求項間の引用関係を解消することを目的とするものである。
 　 
（２）新規事項の追加の有無について  
 　訂正事項２は、上記（１）に記載したとおり、請求項間の引用関係を解消するものであるから、何ら新たな技術的事項を導入するものではなく、特許法第１２６条第５項に規定する要件に適合するものである。  
 　  
（３）特許請求の範囲の拡張又は変更の存否について  
 　訂正事項２は、上記（１）に記載したとおり、請求項間の引用関係を解消するものであり、上記（２）に記載したとおり、新規事項を追加するものではないから、実質上特許請求の範囲を拡張し、又は変更するものには該当せず、第１２６条第６項に適合するものである。
 　  
　  
 第４　むすび  
　以上のとおり、本件訂正審判の請求は、特許法第１２６条第１項ただし書第１号および第４号に掲げる事項を目的とし、かつ、同条第５項ないし第７項の規定に適合するものである。  
　よって、結論のとおり審決する。